(57)【要約】【課題】クリップを用いて用紙を綴じる自動クリップ装着器におけるクリップ押し具であって、クリップを連続的に綴じ付けることができると共に、装着器本体内にクリップを容易に追加挿入できるようにしたものである。【解決手段】ベース２と、カバー３から構成された本体内に、クリップ８及びクリップ押し具６を収納する収納部５を形成し、本体の前部に用紙の差込口７及び拡開バネ１３を設け、本体１上に形成した長孔３５にプッシャーを摺動可能に装着し、前記クリップ押し具６と、プッシャー４を収縮コイルバネ３１で連結すると共に、前記クリップ押し具６の、下面の中間部に作動体２５を突出成形すると共に、作動体の前側に指掛部を設けると共に下面に指押し部を設けたものである。  【選択図】図１
2007290176.tif 000002
【特許請求の範囲】
【請求項１】
ベースとカバーから構成された、クリップ装着器本体内に、クリップ及びクリップ押し具の収納部を形成し、本体の前端に用紙の差込口を設け、該差込口の両側後部に拡開バネを装着し、カバーの上面に長孔を形成し、前記長孔にプッシヤーを前後摺動可能に装着し、前記プッシヤーの掛止突部に伸縮コイルバネの一端を掛止し、他端を、収納部内に収納されているクリップ押し具の掛止突起に掛止すると共に、前記クリップ押し具の下面に突設した作動体を、本体下面に形成した溝孔に前後摺動可能に嵌装すると共に、本体下面にクリップの挿入口を設けて成る自動クリップ装着器において、クリップ押し具の下面の中間部に作動体を突設し、前記、作動体の前側に指掛け部を形成すると共に、該作動体の下面に指押し部を設けて成る、自動クリップ装着器におけるクリップ押し具。
【請求項２】
本体の収納部内に前後摺動可能に収納されるクリップ押し具の前部に、クリップを押進する押圧部を設け、両側に摺接部を形成すると共に、前部に伸縮コイルバネを掛止する掛止突起を設け、後部に前記伸縮コイルバネの折り返し部を形成し、更に下面の中間部に作動体を突設すると共に、前記作動体の前側に指掛け部を設けると共に、同作動体の下面に指押し部を形成して成る、請求項1記載の、自動クリップ装着器におけるクリップ押し具。
【発明の詳細な説明】
【技術分野】
【０００１】
本発明は、本体内に挿入されたクリップを、クリップ押し具により、順次前方に移動させ、カバーに設けたプッシヤーにより繰り出し、このクリップで書類やカード等を装着することができるようにした、自動クリップ装着器におけるクリップ押し具である。
【背景技術】
【０００２】
従来からクリップを用いて書類等を綴じる器具として、「ガチャツク（商標登録）」や「ユニクリップ（商標登録）」の名称で製造販売されており、また、実公昭５７−５９３４６号の「クリップドライバー」や、実開昭５６−７１７７２号の「クリップ綴じ付け器」。実開平３−４０８２号の「クリップドライバ」。特開平５−４２７９３号の「クリップ帯体およびクリップドライバー」。特開平６−１５９９４号の「クリップ綴じ器の連続紙綴じ装置並びに該装置に用いるカバー及びクリップ押し具」等が開示されている。
【０００３】
前記の実公昭５７−５９３４６号のものは、本体内にクリップが１個しか装填できないもので、使用の都度クリップを装填しなければならないわずらわしさがある。
次の実開昭５６−７１７７２号のものは、ケースＢ内に数個のクリップが収納できるようになっているが、使用に当って押台Ｄによってクリップを押し出して用紙を綴じた後、再度使用する場合は、まずケースＢの先端を下方に向けて下げ、ケース内のクリップを重力によって降下させ、ケース内の磁石に着磁させてから、押台Ｄによってクリップを押出して使用するもので、連続して使用することができないので使用の際面倒である。
【０００４】
次に特開平５−４２７９３号のものは、ワンタッチで多数のクリップをクリップドライバーに装填することができる帯体と、このクリップ帯体によりワンタッチ操作で多数のクリップを装填できるようにしたものである。
次に特開平６−１５９９４号のものは、連続的にクリップで紙綴じが可能であるが、構成が複雑で、量産性に欠け、高価になる問題点があった。
【０００５】
以上に示した従来のクリップ装着器にあっては、小型のものは連続して使用することができず、また連続して使用可能なものは、大型の卓上式や、構造が複雑であり、製造が面倒で高価となる等の欠点があった。
次に示すものは、前記の欠点をなくした「自動クリップ装着器」である。
【０００６】
【特許文献１】特許第３５０８０７３号
【特許文献２】特開平９−３１５０６９号公報  上記２件の特許文献は、本願発明と同様に、いずれも自動クリップ装着器で、クリップで用紙を連続的に綴じ込むことができるようにするため、本体１内に、クリップ押し具６が内装されている。  なお、前記２件の特許文献の発明は、いずれも、本願特許出願人の発明によるものである。
【０００７】
以下、特許文献１及び２について説明する。
【特許文献１】特許第３５０８０７３号の、発明の名称「自動クリップ装着器と同器のベース及びカバー並びにクリップ押し具」は、ベース２と、カバー３から構成された本体１内に、クリップ８と、クリップ押し具６を収納するほぼ中空の収納部５を形成し、本体１の前端に、用紙の差込口７を設け、該差込口７の両側後部に、拡開バネ１３を装着すると共に、カバー３の上面に長孔３５を形成し、前記長孔３５にプッシャー４を前後摺動可能に装着し、前記プッシャー４の掛止突起３８に伸縮コイルバネ３１の一端を掛止し、他端を、収納部５内に収納されている、クリップ押し具６の掛止突起３２に掛止すると共に、前記クリップ押し具６の下面に突設した、指掛け部２５及び掛止部２６を、本体１の下面に形成した溝孔２７に前後摺動可能に嵌装すると共に、前記溝孔２７の後部とクリップ８の挿入口２９を連設すると共に、前記挿入口２９の後方に、前記クリップ押し具６の掛止部２６が掛合する、掛合部２８を設けて成る自動クリップ装着器である。
【０００８】
前記の自動クリップ装着器に装着されている、クリップ押し具６は、図７及び８に示すように、前端に押圧部３０を設けると共に前部中央に伸縮コイルバネ３１の一端を掛止する掛止突起３２、及び中間部下方に指掛け部２５並びに、掛止部２６を突設し、更に両側縁に摺接部３３を形成すると共に、後部上方に伸縮コイルバネ３１の折返し部３４を設けたものである。
【０００９】
クリップ８を本体１内に補給装填するには、本体１を図１０のごとく、ベース２を上向きにして後、クリップ押し具６の指掛け部２５に指先を当てて、後方に引き寄せると、クリップ押し具６が伸縮コイルバネ３１のばね力に抗して後方に移動する。そしてクリップ押し具６の掛止部２６が、ベース２の掛合部２８の後方に係止して、図１０の状態に停止する。
【００１０】
この状態で図１０に示すように、クリップ８のガイド部１２を下方に向けて矢印方向にベース２の挿入口２９から収納部５に順次補給する。そして規定数量のクリップ８の補給が終ったら、クリップ押し具の掛止部２６の上面を指先で押すと、掛止部２６が、掛合部２８からはずれるため、クリップ押し具６が、伸縮コイルバネ３１の収縮力により前進し、押圧部３０がクリップ８を前方に押進して、図１のように次の使用可能の状態になるものである。
【００１１】
しかし、クリップ８を収納部５に補給するには、本体１を図４に示すように裏返しにしてから、クリップ押し具６の指掛け部２５に指先を当てて後方に引き寄せ、掛止部２６をベース２の掛合部２８の下面を通過させてから、図１０に示すように、掛止部２６を、掛合部２８に掛止させるものである。
【００１２】
クリップ押し具６の掛止部２６を掛合部２８の下面を通過させるには、図８に示すごとく、掛止部２６と、指掛け部２５を連結している、連結部分の弾性を活用するものであるが、気候や天候によって、スムーズに通過しない等問題点がある。
【００１３】
また、クリップ８の補給が終って、クリップ８を、クリップ押し具６により前進させるために、掛止部２６を、掛合部２８の係合から解除するためには、掛止部２６の上面に指先を当てて、押し下げるのであるが、児童や女性には押し下げが困難であるとの不評があり、使用者から改善を要望されていた。
【００１４】
このため商品化に当っては、図４及び図５に示す、ベース２の掛合部２８の中央部分を１部分除去して、掛止部２６が通過しやすいよう変更して、現在販売中でありますが、更なる改善が要望されている。
【００１５】
【特許文献２】特開平９−３１５０６９号公報。発明の名称、「多用途自動クリップ装着器と同器のベース及びカバー並びにクリップ押し具」について、本願発明との関連について説明する。
【００１６】
本願説明はクリップを用いて用紙を綴じる、多用途自動クリップ装着器と同器のベース及びカバー並びにクリップ押し具であって、クリップを連続的に綴じ付けることができるほか、本体上部に小物入れ部を設けたり、ホッチキスを併設したものである。
【００１７】
ベース部２と、カバー部３から構成された本体内に、クリップ８及びクリップ押し具６を収納する収納部５を形成し、本体の前端に用紙の差込口７及び拡開バネ１３を設け、本体１上面に形成した長孔３５にプッシャーを摺動可能に装着し、前記クリップ押し具６と、プッシャー４を伸縮コイルバネ３１で連結し、さらに本体１の上面にスペア用のクリップなどを収納できる小物入れ部を設けたり、また、ホッチキスを併設したものである。
【００１８】
本体１の収納部５内に、前後摺動可能に嵌装されるクリップ押し具６は、図７及び図８に示すように、前端に押圧部３０を設けると共に、前部中央に伸縮コイルバネ３１の一端を掛止する、掛止突起３２及び中間部下方に指掛け部２５と、押し部２６を突設し、更に両側縁に摺接部３３を形成すると共に、後部上方に、伸縮コイルバネ３１の折返し部３４を設けたものである。
【００１９】
次にクリップ８を本体１内に補給装填するには、先ず本体１のベース部２を図１０のごとくベース部２を逆に上向きにした後、溝孔２７内に嵌装されている、クリップ押し具６の指掛け部２５に指先を当てて後方に引き寄せると、クリップ押し具６が、伸縮コイルバネ３１のバネ力に抗して後方に移動する。そしてクリップ押し具６の掛止部２４が、ベース部２の掛合部２８の前部に掛止して、図１０の状態に停止する。
【００２０】
この状態で図１０に示すように、クリップ８のガイド部１２を、下方に向けて矢印方向に、ベース部２の挿入口２９から、収納部５に順次挿入補給する。
そして規定数量のクリップ８の補給装填が終ったら、クリップ押し具６の押し部２６の上面を指先で押すと、掛止部２４がベースの掛合部２８からはずれるため、クリップ押し具６が、伸縮コイルバネ３１の収縮力により前進し、押圧部３０がクリップ８全体を前方に押進して、図１のような、次の使用可能の状態になるものである。
【００２１】
この発明は前述のように、クリップ８を本体１内に装填するため、図１０のごとく本体１のベース部２を逆に上向きにした後、クリップ押し具６の指掛け部２５に指先を当てて、後方に引き寄せる必要があるが、その際、人指し指の爪先が押し部２６に当接して、容易に引きもどせないことがあり、特にマニキュアした婦人は困るようである。
【００２２】
また、図１０に示すごとく、クリップ８を本体１の挿入部２９から挿入するときに、クリップ８のガイド部１２を下向きにして、挟持部１０を親指と、人指し指でつまんで、下向きに挿入するのであるが、その際、人指し指や、親指の外側が、クリップ押し具６の押し部２６の上面にふれることがある。
すると、クリップ押し具６の掛止部２４が、図１０に示すごとく、ベース２の掛合部２８からはずれるので、クリップ押し具６は、伸縮コイルバネ３１の収縮力により、前方へ移動してしまうので、再度、指掛け部２５に指先を当てて、後方に移動させて、クリップ押し具６の掛止部２４を、ベース２の掛合部２８に掛止しなければならないという面倒がある。
【００２３】
以上説明のごとく「特許文献２」の特開平９−３１５０６９号公報のクリップ押し具には、前記の問題点があるため、今だに商品化できないという欠陥を有していたものである。
【００２４】
なお前記「特許文献２」の多用途自動クリップ装着器のクリップ押し具について、明細書の実施例１について説明したが、段落番号「００２６」の実施例２及び、段落番号「００３２」以下に記載の実施例３に記載されている、図１２と図１６のクリップ押し具６については、折り返し部３４の形状を変えただけで、クリップの収納装置や移送方法等は、前述の第１実施例のものと同様であるので、説明を省略する。
【発明の開示】
【発明が解決しようとする課題】
【００２５】
以上に述べた、従来の特許文献１のクリップ押し具６は、クリップ８を本体１内に補給するため、クリップ押し具６の掛止部２４を、ベース２の掛合部２８に係止させる必要があるが、前記のごとく容易でなく、係止の解除も困難であるとの問題点があった。
【００２６】
また特許文献２のものは、クリップ押し具６を操作する際に、前述のように操作上の問題点があり、今だに商品化されないものである。
【００２７】
本発明は、このような従来の構造が有していた、問題点と欠陥を解決しようとするものであり、構成を簡素化すると共に、資材の節約をはかり、使用操作を容易にすると共に、安価に提供することを目的とするものである。
【課題を解決するための手段】
【００２８】
上記目的を達成するために、本発明のクリップ装着器におけるクリップ押し具においては、本体内にクリップ及びクリップ押し具を収納する収納部を形成し、本体の前端に用紙の差込口を設け、該差込口の両側後部に拡開バネを装着し、カバーの上面に長孔を形成し、前記長孔にプッシャーを前後摺動可能に装着し、前記プッシャーの掛止突部に伸縮コイルバネの一端を掛止し、他端を収納部内に収納されているクリップ押し具の掛止突起に掛止する。
【００２９】
そして、前記クリップ押し具の下面に突設した作動体を、本体下面に形成した溝孔に前後摺動可能に嵌装すると共に、本体下面にクリップの挿入口を設けて成る、自動クリップ装着器におけるクリップ押し具を提供することを目的とする点である。
【発明の効果】
【００３０】
本発明は、以上説明した経過及び以下に説明するように構成されているので、下記に記載されているような効果を奏する。
【００３１】
この自動クリップ装着器におけるクリップ押し具は、クリップ８で用紙を綴じた後、直ちに次のクリップ８が、クリップ押し具６により自動的に押進され、次の使用状態になるので、連続して紙綴じを行うことができるため、極めて便利である。
【００３２】
クリップを本体１内に補給する際に、クリップ押し具６を後退させて、本体後部内に係脱させる必要があるが、従来発明のものはこの着脱が困難であり、また、不用意に離脱したが、本願発明のクリップ押し具は、着脱が極めてスムーズでかつ確実であるため、事務能率の向上をはかることができる。
【００３３】
従来文献のクリップ押し具は、着脱操作用に指掛け部２５と、掛止部２６の２個の部品を必要としたが、本願発明のものは、作動体２５のみで着脱が可能であり、操作が極めて簡単なため、使用者に喜ばれるものである。
【００３４】
本発明は従来のこの種の製品に比して、構成がシンプルで、製造組立てが簡単なため、コストの低減をはかることができ、安価に提供することができる等の利点がある。
【発明を実施するための最良の形態】
【００３５】
以下本発明の、自動クリップ装着器におけるクリップ押し具の実施の形態について説明する。
【実施例１】
【００３６】
以下図面を参照して、本発明の実施例１について説明すると、図１から図１４に示すように、この自動クリップ装着器の本体１は、長方形のベース２と、このベース２を覆うように取り付けられるカバー３とからなり、このカバー３上に、その長手方向にスライドするプッシャー４。並びにベース２とカバー３によって形成される、ほぼ箱形の収納部５内に、摺動可能に挿入されたクリップ押し具６と一対の拡開バネ１３から主に構成されている。
【００３７】
これらベース２、カバー３、プッシャー４、クリップ押し具６は、それぞれ合成樹脂で形成されている。またベース２とカバー３の結合により、その前端に書類等の用紙が挿入されている差込口７が形成されている。
このクリップ装着器１で使用されるクリップ８は、図６に示すように、金属板や合成樹脂板で構成された矩形の板状体を折り曲げて、その中央部に折り曲げ部９と、それらの先端が弾性的に接する２つの挟持部１０とを設けた、連続体で構成されている。各挟持部１０の先端両側には、拡開用の耳部１１が突出されている。耳部１１を含む各挟持部１０の先端は拡開しやすいように、互いに外方に曲げられたガイド部１２が形成されている。
【００３８】
ベース部２は、その横断面が略皿状に形成され、長手方向先端部の両側に、クリップ８がこの先端部に位置したとき、耳部１１間に差し込まれ、この耳部１１間を拡開するための、拡開バネ１３がそれぞれ取り付けられている。
この拡開バネ１３は、図１及び４並びに５に示すように、その断面が略横Ｙ字状をしており、その基部に開けられた挿入孔１４を、ベース２に一体的に立設されたピン１５に挿入することにより固着されている。この挿入孔１４およびピン１５の位置は、拡開バネ１３の側縁と係合して、クリップ８の耳部１１が通るのを邪魔しない位置に設定されている。
【００３９】
またベース２の底面には長手方向に溝１６が形成されており、この溝１６内にクリップ８の折り曲げ部９と、それに続く挟持部１０が嵌入されるようになっている。
溝１６を形成する一体の縁部１７の外側には、クリップ８の耳部１１を保持する耳ガイド部１８が、拡開バネ１３まで延在している。
【００４０】
また、ベース２の前部両側には、ベース２とカバー３を結合する掛止溝１９を形成し、この掛止溝１９にカバー３の先端両側に形成した掛止片２０を掛止して、ベース２とカバー３を結合する。なおこの結合には掛止溝１９の溝孔２１内に掛止片２０の突起部（図示なし）が嵌入して結合を強くする。
【００４１】
更にベース２に長手方向に形成された溝１６の中央部には、後述するクリップ押し具６下面の作動体２５が突出して摺動する溝孔２７、並びにクリップ押し具６の掛止部２４を掛止する掛合部２８、並びにクリップ８を補給装填するための挿入口２９を設ける。
【００４２】
本体１の収納部５内に、前後摺動可能に嵌装されるクリップ押し具６は、図８から図１３に示すように、前端に押圧部３０を設けると共に、前部中央に伸縮コイルバネ３１の一端を掛止する掛止突起３２及び中間部下方に作動体２５を突設し、図８に示すごとく、前側に指掛け部２５Ａ、及び下面に指押し部２５Ｂを併設し、更に両側縁に摺接部３３を形成すると共に、後部上方に伸縮コイルバネ３１の折返し部３４を設けたものである。
【００４３】
次にカバー３は横断面が略逆皿状に形成され、上面に、その略中央部から前部に向かって伸びる長方形の長孔３５を設け、この長孔３５の両側に、プッシャー４を遊装するための摺動縁３６を形成する。
【００４４】
また、クリップ８を押し出すプッシャー４は、図１、図２、図７に示すように、前端押し当て部３７を設け、その上面後部に伸縮コイルバネ３１の一端を掛止する掛止突部３８を設けると共に、両側の前部下方に突起部３９を突設し、更に上面に指当て部４０を設け、後部両側に掛止突子４３を設けたものである。
【００４５】
以上のように構成されたプッシャー４を、カバー３の長孔３５の両側に形成した摺動縁３６の下面に、前記突起部３９及び後方の掛止突子４３を嵌装し、前記掛止突子４３の後方をカバー３の両側に設けた突縁部４１に当接させ、伸縮コイルバネ３１の収縮力によりプッシャー４を後方に引張ることにより、プッシャー４の前方部分が常時上方に偏倚されるようにしている。
【００４６】
更にまた、ベース２の後端は、図１に示すように凸部４４が設けてあり、カバー３の後端に形成した凹部４５と相互に係止して、ベース２とカバー３を結合するようにしている。
【００４７】
次に図１に示すように、本体１内に嵌装されたクリップ押し具６の掛止突起３２に、伸縮コイルバネ３１の一端を掛止し、中間部を、クリップ押し具６の折返し部３４に巻掛け経由して、その他端をカバー３の摺動縁３６に嵌装されている、プッシャー４の掛止突部３８に止着連結する。
すると伸縮コイルバネ３１の収縮力により、クリップ押し具６が前進し、押圧部３０がクリップ８をそれぞれ前方に押進し、一方プッシャー４は、反対に後方に引き寄せられて、図１の使用可能状態になる。
【００４８】
次にこの自動クリップ装着器で、書類やカード等をクリップ８で綴じるには、図１の状態で、本体１前端の差込口７に適宜の用紙を差し込んだ後、プッシャー４の指当て部４０に親指を当てると、上方に偏倚されているプッシャー４の前部が降下し、前端の押し当て部３７がその前方にあるクリップ８の折り曲げ部９に当接して、クリップ８を前進させる。
【００４９】
すると、クリップ８先端のガイド部１２が、拡開バネ１３後端の折りたたみ部４２に当接し、これによりガイド部１２が開き始めながら更に前進し、このため、上下２枚のバネ板部４６は、互いに狭くなって、差込口７内の用紙を挟持しはじめ、バネ板部４６の外面を、クリップ８の耳部１１の内側が摺接しながら移行し、バネ板部４６上の通過が終ると、弾力によりバネ板部４６が元の状態に開き、これと同時に、クリップ８はバネ板部４６より外れるため、クリップ８は弾力により用紙を挟みこんで綴じつけるものである。
【００５０】
用紙の綴じ付けが終わって、プッシャー４の指当て部４０から、押圧していた親指をはなすと、プッシャー４は伸縮コイルバネ３１の収縮力により後退し、一方クリップ押し具６は前進して、前方のクリップ８を押進し、図１の状態となり、次の使用に備えられるものである。
【００５１】
次にクリップ８を本体１内に補給装填するには、先ず本体１のベース２を図１４のごとくベース２を逆に上向きにした後、溝孔２７内に嵌装されている、クリップ押し具６の作動体２５の指掛け部２５Ａに指先を当てて後方に引き寄せると、クリップ押し具６が、伸縮コイルバネ３１のバネ力に抗して後方に移動する。そしてクリップ押し具６の掛止部２４が、ベース２の掛合部２８の前部に軽い音をたてて掛止して、図１４の状態に停止する。
この状態で図１４に示すように、クリップ８のガイド部１２を、下方に向けて矢印方向にベース２の挿入口２９から、クリップ８を収納部５に順次挿入補給する。
そして規定数量のクリップ８の補給装填が終ったら、クリップ押し具６の作動体２５の指押し部２５Ｂの上面を指先で押すと、掛止部２４がベースの掛合部２８からはずれるため、クリップ押し具６が、伸縮コイルバネ３１の収縮力により前進し、押圧部３０がクリップ８全体を前方に押進して、図１のような、次の使用可能の状態になるものである。
【産業上の利用可能性】
【００５２】
本発明の自動クリップ装着器におけるクリップ押し具は、従来のこの種の製品に比し、構成が合理的で資材費も少く、製造組立が簡単なため、安価に提供することができ、産業上有効である。
【図面の簡単な説明】
【００５３】
【図１】本発明の自動クリップ装着器におけるクリップ押し具の縦断面図である
【図２】同上、平面図である。
【図３】同上、底面図である。
【図４】同上、ベースに拡開バネを取り付けた平面図である。
【図５】拡開バネの斜視図である。
【図６】クリップの斜視図である。
【図７】プッシャーの斜視図である。
【図８】クリップ押し具の正面図である。
【図９】同上、正面図中央断面図である。
【図１０】同上、平面図である。
【図１１】同上、底面図である。
【図１２】同上、左側面図である。
【図１３】同上、右側面図である。
【図１４】クリップを収納部に補給装填する状態の縦断面図である。
【符号の説明】
【００５４】
１  本体
２  ベース
３  カバー
４  プッシャー
５  収納部
６  クリップ押し具
７  差込口
８  クリップ
９  折り曲げ部
１０  挟持部
１１  耳部
１２  ガイド部
１３  拡開バネ
１４  挿入孔
１５  ピン
１６  溝
１７  縁部
１８  耳ガイド部
１９  掛止溝
２０  掛止片
２１  溝孔
２４  掛止部
２５  作動体
２５Ａ  指掛け部
２５Ｂ  指押し部
２７  溝孔
２８  掛合部
２９  挿入口
３０  押圧部
３１  伸縮コイルバネ
３２  掛止突起
３３  摺接部
３４  折返し部
３５  長孔
３６  摺動縁
３７  押し当て部
３８  掛止突部
３９  突起部
４０  指当て部
４１  突縁部
４２  折りたたみ部
４３  掛止突子
４４  凸部
４５  凹部
４６  バネ板部
４７  凸状部
【図１】
2007290176.tif 000003
【図２】
2007290176.tif 000004
【図３】
2007290176.tif 000005
【図４】
2007290176.tif 000006
【図５】
2007290176.tif 000007
【図６】
2007290176.tif 000008
【図７】
2007290176.tif 000009
【図８】
2007290176.tif 000010
【図９】
2007290176.tif 000011
【図１０】
2007290176.tif 000012
【図１１】
2007290176.tif 000013
【図１２】
2007290176.tif 000014
【図１３】
2007290176.tif 000015
【図１４】
2007290176.tif 000016